(57)【要約】      （修正有）【課題】有害物質を含まず仕上がりも綺麗である型枠材テープ貼りアンコ材を提供する。【解決手段】セロハンテープは撥水、剥離性に優れており有害物質を含まず無害である。そのセロハンテープを木製面木、目地棒、アンコ材に貼り付け、面木Ａ１、目地棒Ａ２、アンコ材Ａ３を作成したことによりコンクリートが付着せず再利用できる回数が多くなり、又廃棄しても資源として甦り仕上がりも綺麗である。この面木Ａ１、目地棒Ａ２、アンコ材Ａ３は木製面木、目地棒、アンコ材、セロハンテープで形成される。【選択図】図３
0003202509.tif 000002
【実用新案登録請求の範囲】
【請求項１】
コンクリート構造物Ｄの面取りＤ１、目地穴Ｄ２、アンコ材穴Ｄ３を形成する型枠材テープ貼り面木Ａ１、目地棒Ａ２、アンコ材Ａ３
【請求項２】
前記、面木Ａ１、目地棒Ａ２、アンコ材Ａ３はセロハンテープＡを木製面木１、目地棒２、アンコ材３にセロハンテープＡを貼り付け形成された、請求項１記載の面木Ａ１、目地棒Ａ２、アンコ材Ａ３
【請求項３】
前記、面木Ａ１、目地棒Ａ２、アンコ材Ａ３はコンクリートに接する面に貼り付けＮの段差を作りＳの部分がよりコンクリート型枠に密着するようにした請求項１、請求項２の面木Ａ１、目地棒Ａ２アンコ材Ａ３
【考案の詳細な説明】
【技術分野】
【０００１】  本考案はコンクリート構造物を製造する際に使用される色々な形状や大小有る名称、面木、目地棒、アンコ材に係り、テープを貼った面木、目地棒、アンコ材に関する。
【背景技術】
【０００２】  コンクリート構造物は所定形状に組み合わせた、コンクリート型枠の内部に色々な形状や大小有る面木、目地棒、アンコ材を装置し固定してコンクリートを打設して、コンクリート構造物に面取り、目地穴、アンコ穴（溝穴）を形成する工法が行われてる。【０００３】  更に面木、目地棒、アンコ材は釘などで固定する為、面木、目地棒、アンコ材の多くは、木材を加工して製作されている、だが木製面木、目地棒、アンコ材は撥水性がなく、コンクリートの水分を吸収するために、木材の内部に含んでいる空気を出し、コンクリート面に小さな気泡の穴を作ったりして、仕上がりも綺麗ではなく、剥離性もないのでコンクリート構造物が固まった後、コンクリート型枠と一緒に木製面木、目地棒、アンコ材を取り出す型枠解体を行うと、コンクリートが付着したり折れたりして再利用できないために産業廃棄物として有料で捨てられている。【０００４】  ここで、このような木製面木、目地棒、アンコ材にビニール製の袋になった収縮チューブがある。この収縮チューブに木製面木、目地棒、アンコ材を入れて、ビニール製収縮チューブに熱を加えると、ビニール製収縮チューブが縮んで包み込んで密着する、名称ビニール付面木、目地棒、アンコ材が有る、ビニール付面木、目地棒、アンコ材は撥水性に優れ水分を吸収しない、又、剥離性もよくコンクリートも付着せず何回か再使用できてコンクリート面の仕上がりも綺麗である。だが、ビニール製収縮チューブが高価であるためビニール付面木、目地棒、アンコ材は通常の木製面木、目地棒、アンコ材の８倍〜１０倍位の価格で販売されている。【０００５】  ところがビニール付面木、目地棒、アンコ材はビニール製収縮チューブに有害物質を含んでいるので、コンクリート構造物形成後に廃棄するためには、ビニールを木製面木、目地棒、アンコ材から取り出す作業を行い分離して木製面木、目地棒、アンコ材は資源として粉砕したり焼却されているビニールは産業廃棄物として有料で処理されている。
【考案の概要】
【考案が解決しようとする課題】
【０００６】  木製面木、目地棒、アンコ材は撥水、剥離性がなくコンクリートが付着したり折れたりして仕上がりも綺麗ではない。ビニール付面木、目地棒、アンコ材は撥水、剥離性共に優れて仕上がりも綺麗であるが高価であり、ビニールに有害物質を含むため廃棄するためにはビニールを取り外す作業をして廃棄しなければならない。【０００７】  そこで本考案は、上述の問題を解決すべく案出されたもので撥水、剥離性の優れた、又有害物質を含まないテープ貼り木製面木、目地棒、アンコ材の提供を目的とする。
【課題を解決するための手段】
【０００８】  上述の目的を達成すべく第１の手段は図１セロハンテープＡを使う。セロハンテープＡは透明で図１ダンボール箱ＢなどのＨの部分に貼り付け梱包などに使用されており、セロハンテープＡの原料は木材パルプで、粘着剤は天然ゴムと天然樹脂でできていて有害物質を含まない原料で製造されている物で廃棄してもいずれは水と炭酸ガスに分解され、自然循環システムに溶け込みながら新たな資源として蘇る素材である。【０００９】  第２の手段としてコンクリート型枠材として使用される事のなかった図１セロハンテープＡは撥水、剥離性が優れておりコンクリートが付着しない。そのセロハンテープＡを図２大小の木製面木１、目地棒２、アンコ材３にセロハンテープＡを貼り密着させた図３セロハンテープＡ貼り面木Ａ１、目地棒Ａ２、アンコ材Ａ３を作成したことになる。【００１０】  コンクリート型枠用セロハンテープ貼り面木Ａ１、目地棒Ａ２、アンコ材Ａ３は全体に貼る必要はなく、コンクリートに接する図３だけに貼ることにより木製面木１、目地棒２、アンコ材３にセロハンテープＡの厚み０．０１ｍｍＮの段差ができることにより図４コンクリート型枠４により密着しＳの隙間がなくなり仕上がりも更によくなる。【００１１】  セロハンテープＡで面木Ａ１、目地棒Ａ２、アンコ材Ａ３を作成したことによりコンクリートが付着しなくなり再利用（転用）の回数が多くなり仕上がりも綺麗で、又有害物質を含まないため再資源として利用でき、セロハンテープＡで作成したことのより、より安価な提供が可能になる。
【図面の簡単な説明】
【００１２】
【図１】本考案の他の実施例を示す斜視図である
【図２】本考案の工法を示す斜視図である
【図３】本考案の断面図である
【図４】本考案の一実施例を示す断面図である
【図５】コンクリート構造物の面と溝穴を示す斜視図である
【考案を実施するための形態】
【００１３】  本考案によるコンクリート型枠材用木製面木１、目地棒２、アンコ材３にセロハンテープＡを貼り付け図３面木Ａ１、目地棒Ａ２、アンコ材Ａ３の作成に成功した。
【００１４】  以下本考案の実施例を説明する。本考案はコンクリート構造物を構築する際に従来通りの工法で断面図４コンクリート型枠４の内側に装着された面木Ａ１、目地棒Ａ２、アンコ材Ａ３を使用してコンクリート打設後に、斜視図５コンクリート構造物Ｄに面取りＤ１、目地穴Ｄ２、アンコ材穴Ｄ３を形成する。
【００１５】本考案の基本構成は型枠材木製面木１、目地棒２、アンコ材３に有害物質を含まないセロハンテープＡを貼り付けて面木Ａ１、目地棒Ａ２、アンコ材Ａ３を形成した。この型枠用面木Ａ１、目地棒Ａ２、アンコ材Ａ３はセロハンテープＡを貼り付けて形成されるものである。（図３参照）
【産業上の利用可能性】
【００１６】  本考案のセロハンテープＡ貼り面木Ａ１、目地棒Ａ２、アンコ材Ａ３は図示例に限定されるものではなくセロハンテープの材質は本考案の要旨を変更しない範囲で任意に変更することができる。
【符号の説明】
【００１７】Ａ    セロハンテープ
Ｂ    ダンボール箱
Ｈ    ダンボール梱包部
１    木製面木
２    木製目地棒
３    木製アンコ材
Ａ１  セロハンテープ貼り面木
Ａ２  セロハンテープ貼り目地棒
Ａ３  セロハンテープ貼りアンコ材
４    コンクリート型枠材
Ｎ    段差
Ｓ    隙間
Ｄ    コンクリート構造物
Ｄ１  コンクリート面取り
Ｄ２  コンクリート目地穴
Ｄ３  コンクリートアンコ材穴
【図１】
0003202509.tif 000003
【図２】
0003202509.tif 000004
【図３】
0003202509.tif 000005
【図４】
0003202509.tif 000006
【図５】
0003202509.tif 000007
【手続補正書】
【提出日】平成27年11月19日(2015.11.19)
【手続補正１】
【補正対象書類名】実用新案登録請求の範囲
【補正対象項目名】全文
【補正方法】変更
【補正の内容】
【実用新案登録請求の範囲】
【請求項１】
コンクリート構造物Ｄのアンコ材穴Ｄ３を形成する型枠材テープ貼りアンコ材Ａ３
【請求項２】
セロハンテープＡを木製アンコ材３に貼り付け形成された請求項１記載のアンコ材Ａ３
【請求項３】
前記、アンコ材Ａ３はコンクリートＤに接する部分にセロハンテープＡを貼りつけた事により、木製アンコ材３にセロハンテープＡの厚みの段差ができてコンクリート型枠４により密着するようにした請求項１、又は、請求項２のアンコ材Ａ３